(57)【要約】【課題】キャリアアグリゲーションを用いてユーザ装置と基地局が通信を行う移動通信システムにおいて、ユーザ装置に複数の端末識別子が割り当てられる場合に、基地局によるユーザ装置の識別が適切に行われるように、ユーザ装置が端末識別子を基地局に通知する。【解決手段】ユーザ装置は、基地局から、セルグループ毎の端末識別子を受信し、保持する管理部を備え、前記管理部は、既に保持している端末識別子を変更するための変更後の端末識別子を含むメッセージを前記基地局から受信した場合に、前記既に保持している端末識別子に対応付けられたセルを非アクティブ化させる。【選択図】図８
2020074615.tif 000002
【特許請求の範囲】
【請求項１】
基地局から、セルグループ毎の端末識別子を受信し、保持する管理部を備え、
前記管理部は、既に保持している端末識別子を変更するための変更後の端末識別子を含むメッセージを前記基地局から受信した場合に、前記既に保持している端末識別子に対応付けられたセルを非アクティブ化させる
ユーザ装置。
【請求項２】
前記管理部は、前記基地局から前記セルグループに含まれるセルを追加する設定メッセージを受信し、当該設定メッセージに含まれる端末識別子を保持する
請求項１に記載のユーザ装置。
【請求項３】
前記セルグループに含まれる特定のセルで実行される衝突型ランダムアクセス手順において、前記管理部に保持された端末識別子のうち、前記特定のセルに対応付けられた端末識別子を含むメッセージを前記基地局に送信する送信部をさらに備え、
前記送信部が送信する前記メッセージはＭＡＣ信号を含み、当該ＭＡＣ信号には、ＭＡＣヘッダの直後に前記特定のセルに対応付けられた端末識別子が格納され、当該端末識別子の後に、別の端末識別が格納される
請求項１又は２に記載のユーザ装置。
【請求項４】
前記管理部は、前記ユーザ装置において設定可能な端末識別子の数を含む能力情報を前記基地局に通知する
請求項１ないし３のうちいずれか１項に記載のユーザ装置。
【請求項５】
前記基地局が前記ユーザ装置に対してクロスキャリアスケジューリングを実行する場合に、前記ユーザ装置は、クロスキャリアスケジューリングに係る複数のセルで同一の端末識別子を用いて通信を行う
請求項１ないし４のうちいずれか１項に記載のユーザ装置。
【請求項６】
前記基地局が前記ユーザ装置に対してクロスキャリアスケジューリングを実行する場合に、前記ユーザ装置は、クロスキャリアスケジューリングに係る複数のセルにおいて、各セルに対応付けられた端末識別子を用いて通信を行う
請求項１ないし５のうちいずれか１項に記載のユーザ装置。
【請求項７】
複数のセルは１つ又は複数の前記セルグループにグループ分けされ、各セルグループにおいて各セルに同一の端末識別子が割り当てられ、各セルグループにおける少なくとも１つのセルにＰＵＣＣＨが設定されており、
前記送信部は、各セルグループにおいて、前記ＰＵＣＣＨを用いて、同一の端末識別子が割り当てられたセルの上り制御情報を送信する
請求項３に記載のユーザ装置。
【請求項８】
前記送信部は、あるセルにおける上り制御情報の送信タイミングにおいて、当該セルに割り当てられた端末識別子と同じ端末識別子を持つセルにＰＵＳＣＨのリソースがある場合に、当該上り制御情報を当該ＰＵＳＣＨを用いて送信する
請求項３に記載のユーザ装置。
【請求項９】
基地局から、セルグループ毎の端末識別子を受信し、保持するステップを備え、
前記受信し、保持するステップにおいて、既に保持している端末識別子を変更するための変更後の端末識別子を含むメッセージを前記基地局から受信した場合に、前記既に保持している端末識別子に対応付けられたセルが非アクティブ化される
端末識別子通知方法。
【発明の詳細な説明】
【技術分野】
【０００１】
本発明は、ＬＴＥ等の移動通信システムにおける端末識別子の通知方法に関連するものである。
【背景技術】
【０００２】
ＬＴＥシステムでは、所定の帯域幅を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。
【０００４】
ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、アクティブ化することで初めて通信可能（スケジューリング可能）となるセルである。
【０００５】
図１に示すように、例えばＬＴＥのＲｅｌ．１０のＣＡでは、同一基地局ｅＮＢ配下の複数のＣＣを用いている。また、Ｒｅｌ．１０のＣＡでは、例えば図２に示すように、最大で５つのＣＣを束ねることで、広帯域化により高速なデータレートを実現している。
【０００６】
Ｒｅｌ．１２では、異なる基地局ｅＮＢ配下のＣＣを用いて同時通信を行い、高スループットを実現するＤｕａｌ  ｃｏｎｎｅｃｔｉｖｉｔｙ（二重接続）が導入されている。Ｄｕａｌ  ｃｏｎｎｅｃｔｉｖｉｔｙでは、ＵＥは、複数の物理的に異なる基地局ｅＮＢの無線リソースを同時に使用して通信を行う。
【０００７】
Ｄｕａｌ  ｃｏｎｎｅｃｔｉｖｉｔｙ（以下、ＤＣ）はＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。
【０００８】
ＤＣにおいて、ＭｅＮＢ配下のセル（１つ又は複数）で構成されるセルグループをＭＣＧ（Ｍａｓｔｅｒ  Ｃｅｌｌ  Ｇｒｏｕｐ、マスターセルグループ）、ＳｅＮＢ配下のセル（１つ又は複数）で構成されるセルグループをＳＣＧ（Ｓｅｃｏｎｄａｒｙ  Ｃｅｌｌ  Ｇｒｏｕｐ、セカンダリセルグループ）と呼ぶ。ＭＣＧはＰＣｅｌｌを有し、これに加えてＳＣｅｌｌを有することができる。ＳＣＧは１つ又は複数のＳＣｅｌｌを含み、ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。
【先行技術文献】
【非特許文献】
【０００９】
【非特許文献１】３ＧＰＰ  ＴＳＧ  ＲＡＮ  Ｍｅｅｔｉｎｇ  ＃６６    ＲＰ−１４２２８６  Ｍａｕｉ，  Ｈａｗａｉｉ  （ＵＳ），  Ｄｅｃｅｍｂｅｒ  ８  −  １１，  ２０１４
【非特許文献２】３ＧＰＰ  ＴＳ  ３６．３００  Ｖ１２．４．０  （２０１４−１２）
【非特許文献３】３ＧＰＰ  ＴＳ  ３６．３２１  Ｖ１２．４．０  （２０１４−１２）
【発明の概要】
【発明が解決しようとする課題】
【００１０】
Ｒｅｌ．１２までのＣＡでは、ＵＥあたりＣｏｎｆｉｇｕｒｅ可能なＣＣの数は、最大で５である。
【００１１】
一方、Ｒｅｌ．１３のＬＴＥでは、より柔軟かつ高速な無線通信を実現するため、及び、連続する超広帯域のアンライセンスバンドで、多数のＣＣを束ねられるようにするために、ＣＡにおいて束ねられる最大５ＣＣの制限を取るＣＡ  ｅｎｈａｎｃｅｍｅｎｔが検討されている。例えば、最大で３２ＣＣ（＝６４０ＭＨｚ）を束ねるＣＡが検討されている（非特許文献１）。一例として、図３に、３２ＣＣを束ねる例を示す。
【００１２】
ところで、ＬＴＥでは、ユーザ装置ＵＥを識別する識別子（端末識別子と呼ぶことができる）として、Ｃ−ＲＮＴＩ（Ｃｅｌｌ−Ｒａｄｉｏ．  Ｎｅｔｗｏｒｋ  Ｔｅｍｐｏｒａｒｙ  Ｉｄｅｎｔｉｆｉｅｒ）が使用される。例えば、ＲＲＣ接続状態のユーザ装置ＵＥに対し、基地局ｅＮＢは、当該ユーザ装置ＵＥに割り当てられたＣ−ＲＮＴＩでマスクした割り当て情報を送信し、ユーザ装置ＵＥは、自身のＣ−ＲＮＴＩを用いて割り当て情報を復号する。
【００１３】
また、ＲＲＣ接続状態のユーザ装置ＵＥにおいて、例えば通信のない状態から上りデータが発生した場合に、ユーザ装置ＵＥは、衝突型ランダムアクセス（Ｃｏｎｔｅｎｔｉｏｎ  ｂａｓｅｄ  ｒａｎｄｏｍ  ａｃｃｅｓｓ：ＣＢＲＡ）を実行することで、上りリソースの割り当てを受ける。
【００１４】
図４に、ユーザ装置ＵＥと基地局ｅＮＢ間のＣＢＲＡ手順を示す。ユーザ装置ＵＥがＲＡプリアンブルをＰＲＡＣＨで送信する（ステップ１）。ＲＡプリアンブルを受信した基地局ｅＮＢは、ＲＡレスポンスを返す（ステップ２）。ＲＡレスポンスには、送信タイミング情報、割り当て情報（ＵＬ  ｇｒａｎｔ）等が含まれる。当該割り当て情報は、次のメッセージ３（Ｍｓｇ３と記述する）を送信するための上りリソース割り当て情報である。
【００１５】
ＲＡレスポンスを受信したユーザ装置ＵＥは、自身に割り当てられているＣ−ＲＮＴＩを含むＭｓｇ３を基地局ｅＮＢに送信する（ステップ３）。基地局ｅＮＢは、当該Ｃ−ＲＮＴＩにより、当該ユーザ装置ＵＥがＲＲＣ接続しているユーザ装置ＵＥであることを識別し、例えば、Ｃ−ＲＮＴＩでマスクされた上りリソース割り当て情報を含むＰＤＣＣＨをユーザ装置ＵＥに送信する（ステップ４）。ユーザ装置ＵＥは、Ｃ−ＲＮＴＩで上りリソース割り当て情報を取得できたことで、衝突せずにランダムアクセスに成功したこと（Ｃｏｎｔｅｎｔｉｏｎ  ｒｅｓｏｌｕｔｉｏｎ）を認識し、上りリソース割り当て情報に基づいて次の上り送信を実行する。
【００１６】
Ｒｅｌ．１２までのＣＡにおいては、ユーザ装置ＵＥに設定されている全てのＰＣｅｌｌ、及びＳＣｅｌｌで同一のＣ−ＲＮＴＩを用いることが規定されている（非特許文献２）。一方で、前述したように、３２ＣＣへ拡張された場合、３２セル全てで同一のＣ−ＲＮＴＩを確保することは容易ではないことが想定される。つまり、３２セル全てで同一のＣ−ＲＮＴＩを使用しようとすると、ＵＥ間でのＣ−ＲＮＴＩの衝突が起こるセルが発生する可能性が高くなる。これを回避するように予めＣ−ＲＮＴＩをｒｅｓｅｒｖｅすると、Ｃ−ＲＮＴＩの不足が発生する可能性がある。よって、３２ＣＣではＵＥに対して複数のＣ−ＲＮＴＩを割り当てることが想定される。図５に、ＣＡにおいて、複数のＣ−ＲＮＴＩを割り当てる例を示す。図５の例では、ＣＡを構成するセル群（ＣＧ）毎に異なるＣ−ＲＮＴＩを割り当てている。
【００１７】
従来のＬＴＥにおいて、ユーザ装置ＵＥは、常に１つしかＣ−ＲＮＴＩを持っていなかったため、図４で説明したＣＢＲＡのＭｓｇ３では既に割り当てられているＣ−ＲＮＴＩを基地局ｅＮＢに報告している（非特許文献３）。
【００１８】
上記のようにＣ−ＲＮＴＩが複数になる場合に、どのようにＣ−ＲＮＴＩを基地局ｅＮＢに報告すべきであるかの規定がない。このことから、例えば、図６に示す課題がある。図６の例では、セル＃ＡにおいてＵＥ１にＣ−ＲＮＴＩ＃Ｘが割り当てられ、セル＃ＢにおいてＵＥ３にＣ−ＲＮＴＩ＃Ｙが割り当てられている。ＵＥ２は、セル＃Ａとセル＃ＢによるＣＡを実施する。ＵＥ２には、セル＃Ａに対してＣ−ＲＮＴＩ＃Ｙが割り当てられ、セル＃Ｂに対してＣ−ＲＮＴＩ＃Ｘが割り当てられている。
【００１９】
ＣＢＲＡにおいて、ＵＥ１は、セル＃ＡでＣ−ＲＮＴＩ＃ＸをｅＮＢ１０に報告し、ＵＥ３は、セル＃ＢでＣ−ＲＮＴＩ＃ＹをｅＮＢ１０に報告する。前述したようにＵＥ２のＣ−ＲＮＴＩ報告方法の規定はないが、ここでは、例えば、セル＃Ａ又はセル＃ＢでＣＢＲＡを開始し、Ｍｓｇ３にてＣ−ＲＮＴＩ＃ＸとＣ−ＲＮＴＩ＃Ｙの両方をｅＮＢ１０に報告する。
【００２０】
この場合、ｅＮＢ１０は、Ｃ−ＲＮＴＩ＃ＸがＵＥ１のものかＵＥ２のものかを識別できず、Ｃ−ＲＮＴＩ＃ＹがＵＥ３のものかＵＥ２のものかを識別できない。つまり、ｅＮＢ側で一意にＵＥを識別することができない。
【００２１】
本発明は上記の点に鑑みてなされたものであり、キャリアアグリゲーションを用いてユーザ装置と基地局が通信を行う移動通信システムにおいて、ユーザ装置に複数の端末識別子が割り当てられる場合に、基地局によるユーザ装置の識別が適切に行われるように、ユーザ装置が端末識別子を基地局に通知するための技術を提供することを目的とする。
【課題を解決するための手段】
【００２２】
本発明の実施の形態によれば、
基地局から、前記キャリアアグリゲーションにおけるセル毎又はセルグループ毎の端末識別子を受信し、保持する管理部を備え、
前記管理部は、既に保持している端末識別子を変更するための変更後の端末識別子を含むメッセージを前記基地局から受信した場合に、前記既に保持している端末識別子に対応付けられたセルを非アクティブ化させる
ユーザ装置が提供される。
【００２３】
また、本発明の実施の形態によれば、ユーザ装置が実行する端末識別子通知方法であって、
基地局から、前記キャリアアグリゲーションにおけるセル毎又はセルグループ毎の端末識別子を受信し、保持するステップを備え、
前記受信し、保持するステップにおいて、既に保持している端末識別子を変更するための変更後の端末識別子を含むメッセージを前記基地局から受信した場合に、前記既に保持している端末識別子に対応付けられたセルが非アクティブ化される
端末識別子通知方法が提供される。
【発明の効果】
【００２４】
本発明の実施の形態によれば、キャリアアグリゲーションを用いてユーザ装置と基地局が通信を行う移動通信システムにおいて、ユーザ装置に複数の端末識別子が割り当てられる場合に、基地局によるユーザ装置の識別が適切に行われるように、ユーザ装置が端末識別子を基地局に通知することが可能となる。
【図面の簡単な説明】
【００２５】
【図１】Ｒｅｌ．１０のＣＡを説明するための図である。
【図２】Ｒｅｌ．１０のＣＡにおいてＣＣを束ねる例を示す図である。
【図３】Ｒｅ１．１３のＣＡにおいて、３２ＣＣを束ねる例を示す図である。
【図４】衝突型ランダムアクセスの手順を示す図である。
【図５】ＣＡにおいて複数のＣ−ＲＮＴＩを割り当てる場合の例を示す図である。
【図６】課題を説明するための図である。
【図７】本発明の実施の形態におけるシステムの構成図である。
【図８】本実施の形態における処理手順例を説明するための図である。
【図９】Ｃ−ＲＮＴＩの割り当て方法の例を示す図である。
【図１０】Ｃ−ＲＮＴＩの送信方法の例を説明するための図である。
【図１１】Ｃ−ＲＮＴＩの送信方法の例を説明するための図である。
【図１２】全体の動作イメージを示す図である。
【図１３】ＰＣｅｌｌのＣ−ＲＮＴＩ以外のＣ−ＲＮＴＩを変更する場合の手順例を示す図である。
【図１４】Ｃａｐａｂｉｌｉｔｙの通知方法を説明するための図である。
【図１５】クロスキャリアスケジューリング時の動作例を説明するための図である。
【図１６】ＵＣＩの送信方法例を説明するための図である。
【図１７】Ｃ−ＲＮＴＩ割り当てに基づく送信優先度の例を説明するための図である。
【図１８】本実施の形態に係るユーザ装置ＵＥの構成図である。
【図１９】本実施の形態に係る基地局ｅＮＢの構成図である。
【図２０】本実施の形態に係るユーザ装置ＵＥの動作例を示すフローチャートである。
【発明を実施するための形態】
【００２６】
以下、図面を参照して本発明の実施の形態を説明する。なお、以下で説明する実施の形態は一例に過ぎず、本発明が適用される実施の形態は、以下の実施の形態に限られるわけではない。本実施の形態では、ＬＴＥの移動通信システムを対象とするが、本発明はＬＴＥに限らず、キャリアアグリゲーションを採用した他の移動通信システムにも適用可能である。
【００２７】
また、以下では、ＣＡを構成する複数セルからなるセルグループ（ＣＧ）が使用される。ＤＣにおけるＭＣＧとＳＣＧはＣＧの例であるが、ＣＧは、ＭＣＧとＳＣＧに限定されない概念であり、複数のセルを何かしらの観点でグループ化したものをＣＧと呼ぶ。また、ＣＧは、１つのセルである場合を含む。ＣＡを構成する「セル」は、ユーザ装置ＵＥが在圏するセルでありｓｅｒｖｉｎｇ  ｃｅｌｌと呼んでもよい。また、一例として、ＣＡを構成する「セル」は、下りのＣＣのみ、もしくは、下りのＣＣと上りのＣＣからなる。また、本明細書及び特許請求の範囲における「ＬＴＥ」の３ＧＰＰ規格書のリリースは、ＣＡ（ＤＣを含む）が導入されているリリースであるものとするが、これに限定されるわけではない。また、以下で説明する実施の形態では、ＣＢＲＡ手順におけるＣ−ＲＮＴＩ送信を対象としているが、Ｃ−ＲＮＴＩの送信をＣＢＲＡ手順以外の手順で実行してもよい。
【００２８】
また、本実施の形態では、端末識別子としてＣ−ＲＮＴＩを通知するが、通知する端末識別子はＣ−ＲＮＴＩに限られない。
【００２９】
（システム全体構成）
図７に、本発明の実施の形態における通信システムの構成図を示す。図７に示すように、本実施の形態における通信システムは、基地局ｅＮＢとユーザ装置ＵＥとを含む移動通信システムである。基地局ｅＮＢとユーザ装置ＵＥとでＣＡ通信を行うことが可能である。図７では、基地局ｅＮＢとユーザ装置ＵＥがそれぞれ１つずつ示されているが、これは図示の便宜上のものであり、それぞれ複数存在してもよい。
【００３０】
また、図７の例では、１つのセルが示されているが、これも図示の便宜上のものであり、ＣＡが設定される際には複数のセルが存在する。また、例えば、基地局ｅＮＢから離れた場所に、基地局ｅＮＢと光ファイバ等で接続される１つ又は複数のＲＲＥ（遠隔無線装置）が備えられる構成であってもよい。また、複数の基地局ｅＮＢを備えるＤｕａｌ  Ｃｏｎｎｅｃｔｉｖｉｔｙの構成であってもよい。Ｄｕａｌ  Ｃｏｎｎｅｃｔｉｖｉｔｙを対象とする場合、ユーザ装置ＵＥがＭＣＧ（におけるあるセル）でＰＲＡＣＨを送信してＣＢＲＡ手順を開始した場合、ユーザ装置ＵＥはＭｅＮＢにＭｓｇ３を送信し、ユーザ装置ＵＥがＳＣＧ（におけるあるセル）でＰＲＡＣＨを送信してＣＢＲＡ手順を開始した場合、ユーザ装置ＵＥはＳｅＮＢにＭｓｇ３を送信することを想定している。従って、以下で説明する基地局ｅＮＢは、このようなＭｅＮＢ、ＳｅＮＢを意味的に含むものである。なお、ＤＣにおけるＣＢＲＡ手順は、これに限定されるわけではない。
【００３１】
本実施の形態では、前述した課題を解決するために、ＣＢＲＡ手順において、ユーザ装置ＵＥは、ＣＢＲＡ手順を実行するセルに関連付けられているＣ−ＲＮＴＩをＭｓｇ３で基地局ｅＮＢにすることとしている。以下、本実施の形態における処理の内容をより詳細に説明する。
【００３２】
（処理の詳細）
図８を参照して、本実施の形態における処理シーケンスの例を説明する。図８の前提として、ユーザ装置ＵＥは基地局ｅＮＢとの間でＲＲＣ接続状態にある。
【００３３】
まず、ステップ１０１において、基地局ｅＮＢがユーザ装置ＵＥに対し、ＣＡを構成するセル（ｓｅｒｖｉｎｇ  ｃｅｌｌ）毎のＣ−ＲＮＴＩを通知する。「セル毎」は、セルグループ（ＣＧ）毎のＣ−ＲＮＴＩを通知する場合を含むものである。この通知は、例えば、ＲＲＣ  ｃｏｎｎｅｃｔｉｏｎ  ｒｅｃｏｎｆｉｇｕｒａｔｉｏｎメッセージで行うが、ＭＡＣ信号等で行うこととしてもよい。
【００３４】
ユーザ装置ＵＥ及び基地局ｅＮＢは、当該ユーザ装置ＵＥに関して各セルに対して割り当てられたＣ−ＲＮＴＩを用いて信号の送受信を行う（ステップ１０２）。例えば、ユーザ装置ＵＥにセル＃１とセル＃２によるＣＡが設定され、セル＃１にＣ−ＲＮＴＩ＃１が割り当てられ、セル＃２にＣ−ＲＮＴＩ＃２が割り当てられている場合に、基地局ｅＮＢはセル＃１におけるＰＤＣＣＨをＣ−ＲＮＴＩ＃１を使用して送信し、セル＃２におけるＰＤＣＣＨをＣ−ＲＮＴＩ＃２を使用して送信する。ユーザ装置ＵＥは、セル＃１／セル＃２においてＣ−ＲＮＴＩ＃１／Ｃ−ＲＮＴＩ＃２を用いて割り当て情報を取得し、各セルでのデータ送信又は受信を行う。
【００３５】
Ｃ−ＲＮＴＩの通知に関し、ステップ１０１の前の時点で、ユーザ装置ＵＥに複数セルからなるＣＡが設定され、ステップ１０１でＣ−ＲＮＴＩを通知することとしてもよいし、ステップ１０１がＳＣｅｌｌの追加指示であり、当該追加指示においてＣ−ＲＮＴＩを通知することとしてもよい。また、ステップ１０１がＳＣｅｌｌの追加指示であって、なおかつ、Ｃ−ＲＮＴＩが通知されない場合、ユーザ装置ＵＥは、既に割り当てられているＰＣｅｌｌのＣ−ＲＮＴＩと同じＣ−ＲＮＴＩがＳＣｅｌｌにも割り当てられたと見なしてもよい。
【００３６】
また、基地局ｅＮＢは、例えば、ユーザ装置ＵＥにＳＣｅｌｌ追加設定を行う度に、追加するＳＣｅｌｌに対するＣ−ＲＮＴＩを通知する。また、基地局ｅＮＢは、例えば、ＳＣｅｌｌを追加する中で、セルの数が所定数（例：１６）まではＰＣｅｌｌと同じＣ−ＲＮＴＩを明示的又は暗黙的に通知し、所定数を超えるセルが設定される場合にＰＣｅｌｌとは別のＣ−ＲＮＴＩを明示的に通知してもよい。暗黙的に通知するとは、例えば、セルの数が所定数に達するまでのＳＣｅｌｌの追加においてはＣ−ＲＮＴＩを通知しないことである。
【００３７】
また、本実施の形態においては、同一Ｃ−ＲＮＴＩを持つセルグループ（ＣＧ）において、ＰＵＣＣＨを送信するセルが少なくとも１つ設定されていてもよい。
【００３８】
図９にＣ−ＲＮＴＩの割り当ての具体例を示す。図９（ａ）は、セルの数が所定数まではＰＣｅｌｌと同じＣ−ＲＮＴＩを割り当て、以降、所定数毎にＣ−ＲＮＴＩを割り当てる例であり、セル＃１〜セル＃１６にＣ−ＲＮＴＩ＃１が割り当てられ、セル＃１７〜セル＃３２にＣ−ＲＮＴＩ＃１が割り当てられた例が示されている。
【００３９】
図９（ｂ）は、同一Ｃ−ＲＮＴＩを持つＣＧにおいて、ＰＵＣＣＨを送信するセルが１つずつ設定される場合の例を示している。具体的には、Ｃ−ＲＮＴＩ＃１が割り当てられたＣＧ（セル＃１〜セル＃３）のうちのセル＃３においてＰＵＣＣＨ送信可能であり、Ｃ−ＲＮＴＩ＃２が割り当てられたＣＧ（セル＃５、セル＃６、...）のうちのセル＃６においてＰＵＣＣＨ送信可能である。ＰＵＣＣＨ送信可能であるとは、例えば、該当セルの上りＣＣにおける帯域の両端にＰＵＣＣＨのリソースが割り当てられていることである。
【００４０】
図８のステップ１０３において、例えば、ユーザ装置ＵＥの上りデータ送信が途切れた状態から、送信すべき上りデータが生じ、ＣＢＲＡ手順がトリガされることで、ユーザ装置ＵＥはＰＲＡＣＨを用いてＲＡプリアンブル送信を行う。
【００４１】
ステップ１０３で、あるセルにおいてＰＲＡＣＨを送信したユーザ装置ＵＥは、基地局ｅＮＢから当該セルでＲＡレスポンスを受信する（ステップ１０４）。
【００４２】
ステップ１０５において、ユーザ装置ＵＥは、当該セルに対して割り当てられているＣ−ＲＮＴＩをＭｓｇ３に含め、当該Ｍｓｇ３を当該セルで送信する。より具体的には、Ｍｓｇ３には、当該Ｃ−ＲＮＴＩを設定したＣ−ＲＮＴＩ  ＭＡＣ  ＣＥ（Ｃｏｎｔｒｏｌ  Ｅｌｅｍｅｎｔ）が含まれる。基地局ｅＮＢは、セルとＣ−ＲＮＴＩとＵＥを対応付けて管理しているので、当該セルにおいて受信したＭｓｇ３に含まれる当該Ｃ−ＲＮＴＩにより、Ｍｓｇ３を送信したユーザ装置ＵＥを一意に特定でき、その後、当該特定したユーザ装置ＵＥに対して割り当て情報等の送信を行う。
【００４３】
＜Ｃ−ＲＮＴＩ送信方法例＞
本実施の形態では、ＣＢＲＡ手順において、ユーザ装置ＵＥが、特定のセル（ここではＰＣｅｌｌとする）でのみＰＲＡＣＨを送信できる場合を第１ＣＢＲＡとし、ユーザ装置ＵＥが任意のセルでＰＲＡＣＨを送信できる場合を第２ＣＢＲＡとする。
【００４４】
第１ＣＢＲＡでは、ユーザ装置ＵＥは、ＰＣｅｌｌでＰＲＡＣＨ（ＲＡプリアンブル）を送信し、ＰＣｅｌｌでＲＡレスポンスを受信し、ＰＣｅｌｌでＭｓｇ３を送信する。
【００４５】
第２ＣＢＲＡでは、ユーザ装置ＵＥは、任意のセルでＰＲＡＣＨを送信し、当該セルでＲＡレスポンスを受信し、当該セルでＭｓｇ３を送信する。第２ＣＢＲＡにおいて、どのセルでＣＢＲＡ手順を実行するかについては、特に限定されないが、例えば、無線品質の良いセルを選択してＣＢＲＡ手順を実行することができる。
【００４６】
第１ＣＢＲＡ（ＰＣｅｌｌのみでのＣＢＲＡ）では、図８のステップ１０５において、ユーザ装置ＵＥは、常にＭｓｇ３にＰＣｅｌｌのＣ−ＲＮＴＩを含めて送信する。
【００４７】
第２ＣＢＲＡ（任意のセルでＣＢＲＡ可能）では、図８のステップ１０５において、ユーザ装置ＵＥがＰＣｅｌｌ、或いは、ＰＣｅｌｌと同じＣ−ＲＮＴＩが関連付けられているセルでＭｓｇ３を送信する場合、ＰＣｅｌｌのＣ−ＲＮＴＩをＭｓｇ３で基地局ｅＮＢに通知する。
【００４８】
また、第２ＣＢＲＡでの図８のステップ１０５において、ユーザ装置ＵＥがＰＣｅｌｌと異なるＣ−ＲＮＴＩが割り当てられたセルでＭｓｇ３を送信する場合、当該セルのＣ−ＲＮＴＩをＭｓｇ３に含めて基地局ｅＮＢに通知する。
【００４９】
すなわち、第２ＣＢＲＡでは、ユーザ装置ＵＥは、ＣＢＲＡを実行するセルに関してユーザ装置ＵＥに割り当てられたＣ−ＲＮＴＩをＭｓｇ３で基地局ｅＮＢに通知する。
【００５０】
図１０に具体例を示す。図１０（ａ）、（ｂ）はそれぞれ、基地局ｅＮＢがＰＣｅｌｌとＳＣｅｌｌからなるＣＡをユーザ装置ＵＥに設定した状態を示している。図１０（ａ）は、ＰＣｅｌｌでＣＢＲＡ手順が実行される場合の例であり、この場合、ユーザ装置ＵＥは、ＰＣｅｌｌのＣ−ＲＮＴＩを含むＭｓｇ３をＰＣｅｌｌで送信する。図１０（ｂ）は、ＳＣｅｌｌでＣＢＲＡ手順が実行される場合の例であり、この場合、ユーザ装置ＵＥは、ＳＣｅｌｌのＣ−ＲＮＴＩを含むＭｓｇ３をＳＣｅｌｌで送信する。なお、図１０（ｂ）の例において、例えば、ＳＣｅｌｌにもＰＣｅｌｌと同じＣ−ＲＮＴＩが割り当てられている場合には、ユーザ装置ＵＥは、ＰＣｅｌｌのＣ−ＲＮＴＩを含むＭｓｇ３をＳＣｅｌｌで送信する。
【００５１】
上記の例では、ユーザ装置ＵＥは１つのＣ−ＲＮＴＩをＭｓｇ３に含めて送信することとしたが、複数のＣ−ＲＮＴＩをＭｓｇ３に含めて送信することとしてもよい。この場合、例えば、ＣＢＲＡ手順を実行するセルに対応するＣ−ＲＮＴＩをＭＡＣ  ｈｅａｄｅｒの直後に格納し、ＵＥに割り当てられたそれ以外のＣ−ＲＮＴＩを次に格納する。この場合のＭＡＣ  ＰＤＵの例を図１１に示す。図１１の例では、ＭＡＣ  ｈｅａｄｅｒの直後のＭＡＣ  ＣＥ１にＣ−ＲＮＴＩ＃１が格納され、次のＭＡＣ  ＣＥ２にＣ−ＲＮＴＩ＃２が格納されている。
【００５２】
上記のようにして複数のＣ−ＲＮＴＩをＭｓｇ３に含める場合、基地局ｅＮＢは、ＭＡＣ  ｈｅａｄｅｒの直後に格納されたＣ−ＲＮＴＩを参照してＵＥを特定する。複数のＣ−ＲＮＴＩをＭｓｇ３に含める場合において、参照すべきＣ−ＲＮＴＩをＭＡＣ  ｈｅａｄｅｒの直後に格納することは一例に過ぎない。基地局ｅＮＢが参照すべきＣ−ＲＮＴＩを特定できるのであれば、参照すべきＣ−ＲＮＴＩをどの位置に格納することとしてもよい。
【００５３】
図１２に、本実施の形態における全体の動作イメージを示す。この例は、図６に示した例に対応するものであり、セル＃ＡにおいてＵＥ１にＣ−ＲＮＴＩ＃Ｘが割り当てられ、セル＃ＢにおいてＵＥ３にＣ−ＲＮＴＩ＃Ｙが割り当てられている。ＵＥ２は、セル＃Ａとセル＃ＢによるＣＡを実施する。ＵＥ２には、セル＃Ａに対してＣ−ＲＮＴＩ＃Ｙが割り当てられ、セル＃Ｂに対してＣ−ＲＮＴＩ＃Ｘが割り当てられている。
【００５４】
ＣＢＲＡ手順において、ＵＥ１は、セル＃ＡでＣ−ＲＮＴＩ＃ＸをｅＮＢ１０に報告し、ＵＥ３は、セル＃ＢでＣ−ＲＮＴＩ＃ＹをｅＮＢ１０に報告する。
【００５５】
ＵＥ２は、セル＃ＡでＣＢＲＡ手順を実行する場合には、セル＃Ａに対して割り当てられたＣ−ＲＮＴＩ＃ＹをｅＮＢ１０に報告し、セル＃ＢでＣＢＲＡ手順を実行する場合には、セル＃Ｂに対して割り当てられたＣ−ＲＮＴＩ＃ＸをｅＮＢ１０に報告する。このような報告方法により、ｅＮＢ１０は、各セルにおいて、アクセスしてきたＵＥを特定できる。
【００５６】
以下では、上述した本実施の形態における基本的な処理を前提として実行される種々の処理例について説明する。
【００５７】
（Ｃ−ＲＮＴＩの解放、変更）
ユーザ装置ＵＥに一旦割り当てられたＣ−ＲＮＴＩは、適宜、解放される。例えば、ユーザ装置ＵＥと基地局ｅＮＢとのＲＲＣ接続が切断される場合、Ｃ−ＲＮＴＩが解放されてよい。
【００５８】
また、ユーザ装置ＵＥが基地局ｅＮＢに対して再接続を行う場合、ユーザ装置ＵＥはＳＣｅｌｌを自律的に削除するため、当該削除するＳＣｅｌｌのＣ−ＲＮＴＩを解放してよい。ユーザ装置ＵＥは、再接続要求メッセージの中にＰＣｅｌｌのＣ−ＲＮＴＩを含めるので、ＰＣｅｌｌのＣ−ＲＮＴＩは解放せずに保持する。
【００５９】
ユーザ装置ＵＥがＲＲＣ接続状態で通信に使用しているＣ−ＲＮＴＩを変更するには、基地局ｅＮＢからＩｎｔｒａ−ｃｅｌｌ  ＨＯ（セル内ハンドオーバ）手順を実行することが必要である。
【００６０】
従来、Ｉｎｔｒａ−ｃｅｌｌ  ＨＯが実行される際には、ＣＡを構成する全てのセルがＤｅａｃｔｉｖａｔｅ（非アクティブ化）される。一方、本実施の形態のように、ユーザ装置ＵＥが、ＣＡを構成するセル毎（又はＣＧ毎）のＣ−ＲＮＴＩを保持する場合、従来のようにＩｎｔｒａ−ｃｅｌｌ  ＨＯによって全てのセルをＤｅａｃｔｉｖａｔｅすることは望ましくない。
【００６１】
そこで、本実施の形態では、ＰＣｅｌｌのＣ−ＲＮＴＩを変更する場合には、これまでと同様にＩｎｔｒａ−ｃｅｌｌ  ＨＯを行う。この場合、全てのＳＣｅｌｌはＤｅａｃｔｉｖａｔｅされる。ただし、ＰＣｅｌｌのＣ−ＲＮＴＩが割り当てられていないＳＣｅｌｌについては、Ｄｅａｃｔｉｖａｔｅしないこととしてもよい。
【００６２】
一方、ＰＣｅｌｌのＣ−ＲＮＴＩ以外のＣ−ＲＮＴＩ（例：ＳＣｅｌｌのＣ−ＲＮＴＩ）を変更する場合には、基地局ｅＮＢは、当該ＳＣｅｌｌのＩｎｔｒａ−ｃｅｌｌ  ＨＯを指示するＲＲＣ  ｃｏｎｎｅｃｔｉｏｎ  ｒｅｃｏｎｆｉｇｕｒａｔｉｏｎによって変更後のＣ−ＲＮＴＩを通知する。通知を受けたユーザ装置ＵＥは、対象となるセル（変更しようとするＣ−ＲＮＴＩが割り当てられたセル）を一旦全てＤｅａｃｔｉｖａｔｅし、Ｃ−ＲＮＴＩの変更を実施する。この場合、変更しようとするＣ−ＲＮＴＩ以外のＣ−ＲＮＴＩは割り当てられたセルは影響を受けない（Ｄｅａｃｔｉｖａｔｅされない）。
【００６３】
上記のＣ−ＲＮＴＩ変更の後者の手順例を図１３に示す。図１３に示すように、ユーザ装置ＵＥは変更後のＣ−ＲＮＴＩを含むＲＲＣ  ｃｏｎｎｅｃｔｉｏｎ  ｒｅｃｏｎｆｉｇｕｒａｔｉｏｎを受信すると（ステップ２０１）、対象セル（ここではＳＣｅｌｌ）のみをＤｅａｃｔｉｖａｔｅして、Ｃ−ＲＮＴＩ変更を実施する（ステップ２０２）。ＲＲＣ  ｃｏｎｎｅｃｔｉｏｎ  ｒｅｃｏｎｆｉｇｕｒａｔｉｏｎに対する処理が完了すると、ＲＲＣ  ｃｏｎｎｅｃｔｉｏｎ  ｒｅｃｏｎｆｉｇｕｒａｔｉｏｎ  ｃｏｍｐｌｅｔｅを返す（ステップ２０３）。
【００６４】
（Ｃａｐａｂｉｌｉｔｙ通知）
本実施の形態では、１つのユーザ装置ＵＥに対して複数のＣ−ＲＮＴＩを設定することが可能であるが、設定できるＣ−ＲＮＴＩの数については、ユーザ装置ＵＥのメモリ等の能力に依存する。しかし、従来技術には当該能力を通知する機構が存在しない。
【００６５】
そこで、本実施の形態では、ユーザ装置ＵＥが、当該ユーザ装置ＵＥにおいて設定できるＣ−ＲＮＴＩの数を能力情報（ｃａｐａｂｉｌｉｔｙ）として基地局ｅＮＢに通知する。図１４に能力通知の手順例を示す。例えば、ユーザ装置ＵＥが基地局ｅＮＢにＲＲＣ接続する際に、ユーザ装置ＵＥは基地局ｅＮＢから能力情報問い合わせ（ＵＥ  Ｃａｐａｂｉｌｉｔｙ  Ｅｎｑｕｉｒｙ）を受信し（ステップ３０１）、ユーザ装置ＵＥは、設定できるＣ−ＲＮＴＩの数を含む能力情報（ＵＥ  Ｃａｐａｂｉｌｉｔｙ  ｉｎｆｏｒｍａｔｉｏｎ）を基地局ｅＮＢに送信する（ステップ３０２）。この場合の例では、ユーザ装置ＵＥが最大で４つのＣ−ＲＮＴＩを設定できることが通知されている。
【００６６】
Ｃ−ＲＮＴＩの設定能力の通知にあたっては、上記のように数を明示的に通知してもよいし、ユーザ装置ＵＥがＣＡで設定可能なセル数（ＣＣ数）によって暗示的に通知されてもよい。例えば、ＣＡの能力情報として、ユーザ装置ＵＥが、６セル〜１６セルのセル数を基地局ｅＮＢに通知した場合、基地局ｅＮＢは当該ユーザ装置ＵＥにおいて２つまでのＣ−ＲＮＴＩ設定が可能であると判断し、ユーザ装置ＵＥが、１６セル以上のセル数を基地局ｅＮＢに通知した場合、基地局ｅＮＢは当該ユーザ装置ＵＥにおいて４つまでのＣ−ＲＮＴＩ設定が可能であると判断する。
【００６７】
（クロスキャリアスケジューリング）
ＣＡにおいては、基地局ｅＮＢからあるセルで送信するＰＤＣＣＨにより、他のセルでのリソース割り当てを行うことが可能であり、これをクロスキャリスケジューリング（Ｃｒｏｓｓ  Ｃａｒｒｉｅｒ  Ｓｃｈｅｄｕｌｉｎｇ：ＣＣＳ）と呼ぶ。
【００６８】
従来のクロスキャリスケジューリングでは、ユーザ装置ＵＥは、ＰＤＣＣＨが送信されるセルであるスケジューリングセルにおけるＰＤＣＣＨの復号と、スケジューリングによるリソース割り当てが行われるセルである割り当てセルにおけるＰＤＳＣＨの復号には同一Ｃ−ＲＮＴＩを用いている。一方、スケジューリングセルと割り当てセル間でＣ−ＲＮＴＩが異なり得る本実施の形態の場合、次の方法例１もしくは方法例２のようにＣ−ＲＮＴＩを用いて復号を行う。
【００６９】
方法例１は、スケジューリングセルと異なる割り当てセルでもスケジューリングセルのＣ−ＲＮＴＩを用いて復号を行うものである。方法例１では、ユーザ装置ＵＥは、単一のＣ−ＲＮＴＩを用いるため、復号が簡易である。方法例１の基地局ｅＮＢは、ＵＥの動作に対応して、スケジューリングセルでのＰＤＣＣＨの生成と、割り当てセルでのＰＤＳＣＨの生成をスケジューリングセルでのＣ−ＲＮＴＩを用いて実行する。
【００７０】
方法例２では、ユーザ装置ＵＥは、スケジューリングセルのＣ−ＲＮＴＩを用いてＰＤＣＣＨの復号を行い、割り当てセルのＣ−ＲＮＴＩを用いてＰＤＳＣＨの復号を行う。方法例２の基地局ｅＮＢは、ＵＥの動作に対応して、スケジューリングセルのＣ−ＲＮＴＩを用いてＰＤＣＣＨを生成し、割り当てセルのＣ−ＲＮＴＩを用いてＰＤＳＣＨの生成を行う。方法例２において、基地局ｅＮＢの観点では、セル間で復号するＣ−ＲＮＴＩを連携させなくてすむため、スケジューラの構成を簡易にできる。
【００７１】
図１５に具体例を示す。図１５の例では、「Ａ」に示すようにセル＃１でユーザ装置ＵＥ宛てのＰＤＣＣＨが送信される。当該ＰＤＣＣＨは、当該ユーザ装置ＵＥに対し、「Ｂ」で示すセル＃２でのＰＤＳＣＨを割り当てる。方法例１では、当該ユーザ装置ＵＥは、セル＃１のＣ−ＲＮＴＩを用いてＰＤＣＣＨの復号とＰＤＳＣＨの復号を行う。方法例２では、当該ユーザ装置ＵＥは、セル＃１のＣ−ＲＮＴＩを用いてＰＤＣＣＨの復号を行い、セル＃２のＣ−ＲＮＴＩを用いてＰＤＳＣＨの復号を行う。
【００７２】
なお、上記の例では、下り（ＤＬ）を例にして説明したが、上り（ＵＬ）の場合も同様である。ＵＬでは、例えば、ユーザ装置ＵＥがＰＵＳＣＨ送信時に、スケジューリングセルのＣ−ＲＮＴＩを使用する、又は、割り当てセルのＣ−ＲＮＴＩを使用する。
【００７３】
（ＵＣＩ送信方法）
ＬＴＥでは、ユーザ装置ＵＥは、ＡＣＫ／ＮＡＣＫ、ＣＱＩ、ＰＭＩ、ＲＩ、ＳＲ等のＵＣＩ（Ｕｐｌｉｎｋ  Ｃｏｎｔｒｏｌ  Ｉｎｆｏｒｍａｔｉｏｎ）を基地局ｅＮＢに送信する。ユーザ装置ＵＥは、ＵＣＩ送信のタイミングでＰＵＳＣＨリソースがある場合には、当該ＵＣＩをＰＵＳＣＨで送信する。これはＵＣＩ  ｐｉｇｇｙｂａｃｋと呼ばれる。ＵＣＩ送信のタイミングでＰＵＳＣＨリソースが無い場合には、ＵＣＩをＰＵＣＣＨで送信する。
【００７４】
前述したように、本実施の形態では、同一Ｃ−ＲＮＴＩを持つセル群において、ＰＵＣＣＨを送信するセルを少なくとも１つ設定する形態をとることが可能である（例：図９（ｂ））。この場合、例えば、各ＰＵＣＣＨには、同一Ｃ−ＲＮＴＩを持つセルのＵＣＩが多重される。もしくは、Ｃ−ＲＮＴＩに関わらず、全てのセルのＵＣＩがＰＣｅｌｌのＰＵＣＣＨに多重されてもよい。
【００７５】
各ＰＵＣＣＨに、同一Ｃ−ＲＮＴＩを持つセルのＵＣＩが多重される場合の例を図１６（ａ）に示す。図１６（ａ）に示すように、セル＃１とセル＃２からなるＣＧ＃１において同一Ｃ−ＲＮＴＩ＃１が割り当てられており、セル＃２のＵＣＩは、セル＃１のＵＣＩとともに、セル＃１のＰＵＣＣＨで送信される。
【００７６】
ＵＣＩ送信のタイミングでＰＵＳＣＨリソースがある場合における、ＵＣＩのＰＵＳＣＨへのｐｉｇｇｙｂａｃｋに関して、Ｃ−ＲＮＴＩが複数設定される際には、以下のような方法例１、方法例２がある。
【００７７】
方法例１では、ユーザ装置ＵＥは、ＵＣＩ  ｐｉｇｇｙｂａｃｋを、同一Ｃ−ＲＮＴＩが割り当てられているセル間でのみ実施する。例えば、図１６（ａ）のＣＧ＃２に示す例では、同一のＣ−ＲＮＴＩ＃２が割り当てられたセル＃３とセル＃４間でのみＵＣＩ  ｐｉｇｇｙｂａｃｋを実施する。
【００７８】
ＵＣＩ  ｐｉｇｇｙｂａｃｋを、同一Ｃ−ＲＮＴＩが割り当てられているセル間でのみ実施する場合に、同一Ｃ−ＲＮＴＩが割り当てられている複数のセルの中にＰＵＳＣＨが複数存在する場合には、例えば、ユーザ装置ＵＥは、同一Ｃ−ＲＮＴＩが割り当てられているセル間の最もＣｅｌｌＩｎｄｅｘが小さいセルのＰＵＳＣＨにＵＣＩを多重して送信する。最もＣｅｌｌＩｎｄｅｘが小さいセルに多重することは一例に過ぎず、最もＣｅｌｌＩｎｄｅｘが大きいセルに多重することとしてもよいし、他の方法で多重するセルを決めてもよい。
【００７９】
また、図１６（ｂ）に示すように、ユーザ装置ＵＥは、ＵＣＩ  ｐｉｇｇｙｂａｃｋを、異なるＣ−ＲＮＴＩが割り当てられたＰＵＳＣＨに対して実施することとしてもよい。すなわち、図１６（ｂ）の例では、Ｃ−ＲＮＴＩ＃２が割り当てられたセル＃３のＰＵＳＣＨを使用して、Ｃ−ＲＮＴＩ＃１が割り当てられたセル＃１とセル＃２のＵＣＩが送信されている。
【００８０】
（Ｃ−ＲＮＴＩ割り当てに基づくＵＬ送信優先度制御）
一般的に、上り送信リソース／上り送信電力は限られている。従って、例えば複数セルからの信号送信タイミングが重なる場合には、あるセルの信号のみを送信し、他のセルの送信を停止（Ｄｒｏｐ）させたり、あるセルの信号のみを通常の電力で送信し、他のセルの送信電力を低減させる（Ｓｃａｌｉｎｇ）。
【００８１】
本実施の形態では、ユーザ装置ＵＥにおける上記のようなＤｒｏｐ／Ｓｃａｌｉｎｇの制御を、Ｃ−ＲＮＴＩに基づき行うことができる。
【００８２】
例えば、ＰＣｅｌｌが接続性を担保するセルであることから、図１７に示すように、ＰＣｅｌｌと同一のＣ−ＲＮＴＩを持つＳＣｅｌｌでのＵＬ送信の優先度を、他のＳＣｅｌｌでのＵＬ送信の優先度よりも高くする制御を実施する。
【００８３】
より具体的には、例えば、ユーザ装置ＵＥにおいて、ＣＱＩ等のＣＳＩ（Ｃｈａｎｎｅｌ  Ｓｔａｔｅ  Ｉｎｆｏｒｍａｔｉｏｎ）の送信（例：周期的送信）がセル毎に設定されている場合に、ユーザ装置ＵＥは、ＰＣｅｌｌと同一のＣ−ＲＮＴＩを持つセルと、そうでないセルのＣＳＩの送信タイミングが重なる場合には、後者のＣＳＩをドロップする。また、例えば、ユーザ装置ＵＥは、ＰＣｅｌｌと同一のＣ−ＲＮＴＩを持つセルと、そうでないセルのＵＬ送信タイミングが重なる場合には、後者のＵＬ送信を優先的にスケーリングしたり、ドロップしたりする。
【００８４】
（装置構成例）
次に、これまでの説明した全ての処理を実行可能なユーザ装置ＵＥと基地局ｅＮＢにおける主要な構成を説明する。
【００８５】
まず、図１８に、本実施の形態に係るユーザ装置ＵＥの機能構成図を示す。図１８に示すように、ユーザ装置ＵＥは、ＵＬ信号送信部１０１、ＤＬ信号受信部１０２、ＲＲＣ管理部１０３、Ｃ−ＲＮＴＩ送信制御部１０４を含む。図１８は、ユーザ装置ＵＥにおいて本発明の実施の形態に特に関連する機能部のみを示すものであり、少なくともＬＴＥに準拠した動作を行うための図示しない機能も有するものである。また、図１８に示す機能構成は一例に過ぎない。本実施の形態に係る動作を実行できるのであれば、機能区分や機能部の名称はどのようなものでもよい。
【００８６】
ＵＬ信号送信部１０１は、ユーザ装置ＵＥから送信されるべき上位のレイヤの信号から、物理レイヤの各種信号を生成し、無線送信する機能を含む。ＤＬ信号受信部１０１は、基地局ｅＮＢから各種の信号を無線受信し、受信した物理レイヤの信号からより上位のレイヤの信号を取得する機能を含む。ＵＬ信号送信部１０１及びＤＬ信号受信部１０２はそれぞれ、複数のＣＣを束ねて通信を行うＣＡを実行する機能を含む。
【００８７】
ＵＬ信号送信部１０１及びＤＬ信号受信部１０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。また、ＵＬ信号送信部１０１及びＤＬ信号受信部１０２は、これまでに説明したクロスキャリアスケジューリングによる通信、ＵＣＩ送信、ＵＬ送信優先度制御等を実行することが可能である。
【００８８】
ＲＲＣ管理部１０３は、基地局ｅＮＢとの間でＲＲＣメッセージの送受信を行うとともに、ＣＡ情報の設定／変更／管理、構成変更等の処理を行う機能を含む。また、ＲＲＣ管理部１０３は、セル毎（ＣＧ毎）のＣ−ＲＮＴＩの割り当てを基地局ｅＮＢから受けて、当該Ｃ−ＲＮＴＩを保持する記憶手段を含む。また、ＲＲＣ管理部１０３は、ユーザ装置ＵＥの能力（Ｃａｐａｂｉｌｉｔｙ）の情報を保持し、能力の情報を基地局ｅＮＢに通知する機能も含む。また、ＲＲＣ管理部１０３は、Ｃ−ＲＮＴＩの解放、変更を行う機能を含む。
【００８９】
Ｃ−ＲＮＴＩ送信制御部１０４は、本実施の形態に係るＣ−ＲＮＴＩの基地局ｅＮＢへの送信制御を行う。すなわち、ＣＢＲＡ手順において、ＵＬ信号送信部１０１がＭｓｇ３を送信する際に、Ｃ−ＲＮＴＩ送信制御部１０４は、Ｍｓｇ３を送信するセル（ＣＢＲＡ手順を実行するセル）に割り当てられたＣ−ＲＮＴＩをＭｓｇ３に含めて送信するように指示する。なお、Ｃ−ＲＮＴＩ送信制御部１０４は、ＵＬ信号送信部１０１の中に含まれていてもよい。
【００９０】
図１９に、本実施の形態に係る基地局ｅＮＢの機能構成図を示す。図１９に示すように、基地局ｅＮＢは、ＤＬ信号送信部２０１、ＵＬ信号受信部２０２、ＲＲＣ管理部２０３、スケジューリング部２０４を含む。図１９は、基地局ｅＮＢにおいて本発明の実施の形態に特に関連する機能部のみを示すものであり、少なくともＬＴＥに準拠した動作を行うための図示しない機能も有するものである。また、図１９に示す機能構成は一例に過ぎない。本実施の形態に係る動作を実行できるのであれば、機能区分や機能部の名称はどのようなものでもよい。
【００９１】
ＤＬ信号送信部２０１は、基地局ｅＮＢから送信されるべき上位のレイヤの信号から、物理レイヤの各種信号を生成し、無線送信する機能を含む。ＵＬ信号受信部２０２は、各ＵＥから各種の信号を無線受信し、受信した物理レイヤの信号からより上位のレイヤの信号を取得する機能を含む。ＤＬ信号送信部２０１及びＵＬ信号受信部２０２はそれぞれ、複数のＣＣを束ねて通信を行うＣＡ（ＤＣでのＣＡを含む）を実行する機能を含む。また、ＤＬ信号送信部２０１及びＵＬ信号受信部２０２は、ＲＲＥのように、基地局ｅＮＢの本体（制御部）から遠隔に設置された無線通信部であってもよい。
【００９２】
ＤＬ信号送信部２０１及びＵＬ信号受信部２０２はそれぞれ、パケットバッファを備え、レイヤ１（ＰＨＹ）及びレイヤ２（ＭＡＣ、ＲＬＣ、ＰＤＣＰ）の処理を行うことを想定している（ただし、これに限られるわけではない）。
【００９３】
ＲＲＣ管理部２０３は、ユーザ装置ＵＥとの間でＲＲＣメッセージの送受信を行うとともに、ＣＡの設定／変更／管理、構成変更等の処理を行う機能を含む。ＲＲＣ管理部２０３は、ＣＡの設定を行う機能部であるので、設定部と呼んでもよい。また、ＲＲＣ管理部２０３は、ユーザ装置ＵＥに対し、セル毎（ＣＧ毎）にＣ−ＲＮＴＩを割り当て、セル（ＣＧ）、Ｃ−ＲＮＴＩ、ＵＥを対応付けて格納する記憶手段を含む。
【００９４】
スケジューリング部２０４は、ＣＡを実施するユーザ装置ＵＥに対し、セル毎にスケジューリングを行って、前述した方法によりＣ−ＲＮＴＩを用いてＰＤＣＣＨの割り当て情報を作成し、当該割り当て情報を含むＰＤＣＣＨの送信をＤＬ信号送信部２０１に指示する機能を含む。
【００９５】
動作例として、図２０にユーザ装置ＵＥの動作のフローチャートを示す。ここでは、ユーザ装置ＵＥはＲＲＣ接続状態にあり、ＣＡが設定され、ＣＡを構成するセル毎のＣ−ＲＮＴＩが割り当てられているとする。
【００９６】
例えばユーザ装置ＵＥにおいて上りデータが発生した場合に、ユーザ装置ＵＥのＵＬ信号送信部１０１は、ＣＢＲＡ（衝突型ＲＡ）手順を起動し（ステップ４０１）、セル＃ＡでＲＡプリアンブルを送信する（ステップ４０２）。ユーザ装置ＵＥはセル＃ＡでＲＡレスポンスを受信する（ステップ４０３）。ユーザ装置ＵＥのＣ−ＲＮＴＩ送信制御部１０４は、ステップ４０２、ステップ４０３等から当該ＣＢＲＡ手順がセル＃Ａで行われていることを検知し、セル＃Ａに対応するＣ−ＲＮＴＩをＭｓｇ３に含めて送信するようＵＬ信号送信部１０１に指示する。ＵＬ信号送信部１０１は、当該Ｃ−ＲＮＴＩを設定したＣ−ＲＮＴＩ  ＭＡＣ  ＣＥをＭｓｇ３に含め、当該Ｍｓｇ３をセル＃Ａで送信する（ステップ４０４）。
【００９７】
（実施の形態のまとめ）
以上、説明したように、本実施の形態では、基地局から、前記キャリアアグリゲーションにおけるセル毎又はセルグループ毎の端末識別子を受信し、保持する管理部を備え、前記管理部は、既に保持している端末識別子を変更するための変更後の端末識別子を含むメッセージを前記基地局から受信した場合に、前記既に保持している端末識別子に対応付けられたセルを非アクティブ化させるユーザ装置が提供される。この構成では、上記特定のセルに対応付けられた端末識別子を含むメッセージを基地局に送信することとしているので、ユーザ装置に複数の端末識別子が割り当てられる場合に、基地局はアクセスしてきたユーザ装置の識別を適切に行うことができる。
【００９８】
前記管理部は、前記基地局から前記キャリアアグリゲーションにおけるセルを追加する設定メッセージを受信し、当該設定メッセージに含まれる端末識別子を保持することとしてもよい。この構成により、セルを追加する設定メッセージにおいて端末識別子を通知できるので、シグナリング数を削減できる。
【００９９】
前記セルグループに含まれる特定のセルで実行される衝突型ランダムアクセス手順において、前記管理部に保持された端末識別子のうち、前記特定のセルに対応付けられた端末識別子を含むメッセージを前記基地局に送信する送信部をさらに備え、前記送信部が送信する前記メッセージはＭＡＣ信号を含み、当該ＭＡＣ信号には、ＭＡＣヘッダの直後に前記特定のセルに対応付けられた端末識別子が格納され、当該端末識別子の後に、別の端末識別が格納されることとしてもよい。この構成により、基地局は、ＭＡＣヘッダの直後の端末識別子（予め決められた格納位置）を参照することで、ユーザ装置の識別を行うことができる。
【０１００】
前記管理部は、既に保持している端末識別子を変更するための変更後の端末識別子を含むメッセージを前記基地局から受信した場合に、当該端末識別子に対応付けられた各セルを非アクティブ化させることとしてもよい。この構成では、端末識別子変更時に、当該端末識別子に対応付けられないセルについては、影響を及ぼさないことができ、通信にできるだけ影響を与えずに端末識別子の変更を行うことができる。
【０１０１】
前記管理部は、前記ユーザ装置において設定可能な端末識別子の数を含む能力情報を前記基地局に通知することとしてもよい。この構成により、基地局はユーザ装置において設定可能な端末識別子の数を把握できるので、当該数に応じた端末識別子の割り当てを実行することができる。
【０１０２】
前記基地局が前記ユーザ装置に対してクロスキャリアスケジューリングを実行する場合に、前記ユーザ装置は、クロスキャリアスケジューリングに係る複数のセルで同一の端末識別子を用いて通信を行うことができる。この構成では、ユーザ装置における復号処理を簡易に行うことができる。
【０１０３】
前記基地局が前記ユーザ装置に対してクロスキャリアスケジューリングを実行する場合に、前記ユーザ装置は、クロスキャリアスケジューリングに係る複数のセルにおいて、各セルに対応付けられた端末識別子を用いて通信を行うこととしてもよい。この構成では、基地局側でセル間での端末識別子の連携を行う必要がないので、スケジューリング処理が簡易になる。
【０１０４】
複数のセルは１つ又は複数の前記セルグループにグループ分けされ、各セルグループにおいて各セルに同一の端末識別子が割り当てられ、各セルグループにおける少なくとも１つのセルにＰＵＣＣＨが設定されることとしてもよく、この場合に、例えば、前記送信部は、各セルグループにおいて、前記ＰＵＣＣＨを用いて、同一の端末識別子が割り当てられたセルの上り制御情報を送信する。この構成により、各セルの上り制御情報の送信を行うべきＰＵＣＣＨが明確に定められるので、上り制御情報の送信を的確に行うことができる。
【０１０５】
前記送信部は、あるセルにおける上り制御情報の送信タイミングにおいて、当該セルに割り当てられた端末識別子と同じ端末識別子を持つセルにＰＵＳＣＨのリソースがある場合に、当該上り制御情報を当該ＰＵＳＣＨを用いて送信することとしてもよい。この構成により、各セルの上り制御情報の送信を行うべきＰＵＳＣＨが明確に定められるので、上り制御情報の送信を的確に行うことができる。
【０１０６】
本実施の形態で説明したユーザ装置ＵＥは、ＣＰＵとメモリを備え、プログラムがＣＰＵ（プロセッサ）により実行されることで実現される構成であってもよいし、第１、第２の実施の形態で説明する処理のロジックを備えたハードウェア回路等のハードウェアで実現される構成であってもよいし、プログラムとハードウェアが混在していてもよい。
【０１０７】
本実施の形態で説明した基地局ｅＮＢは、ＣＰＵとメモリを備え、プログラムがＣＰＵ（プロセッサ）により実行されることで実現される構成であってもよいし、第１、第２の実施の形態で説明する処理のロジックを備えたハードウェア回路等のハードウェアで実現される構成であってもよいし、プログラムとハードウェアが混在していてもよい。
【０１０８】
（付記）
以上説明した実施の形態に関し、更に以下の付記のようにも記載できる。
（付記１）
キャリアアグリゲーションをサポートする移動通信システムにおいて基地局と通信を行うユーザ装置であって、
前記基地局から、前記キャリアアグリゲーションにおけるセル毎又はセルグループ毎の端末識別子を受信し、保持する管理部と、
前記キャリアアグリゲーションにおける複数のセルのうちの特定のセルで実行される衝突型ランダムアクセス手順において、前記管理部に保持された端末識別子のうち、前記特定のセルに対応付けられた端末識別子を含むメッセージを前記基地局に送信する送信部と
を備えるユーザ装置。
（付記２）
前記管理部は、前記基地局から前記キャリアアグリゲーションにおけるセルを追加する設定メッセージを受信し、当該設定メッセージに含まれる端末識別子を保持する
付記１に記載のユーザ装置。
（付記３）
前記送信部が送信する前記メッセージはＭＡＣ信号を含み、当該ＭＡＣ信号には、ＭＡＣヘッダの直後に前記特定のセルに対応付けられた端末識別子が格納され、当該端末識別子の後に、別の端末識別が格納される
付記１又は２に記載のユーザ装置。
（付記４）
前記管理部は、既に保持している端末識別子を変更するための変更後の端末識別子を含むメッセージを前記基地局から受信した場合に、当該端末識別子に対応付けられた各セルを非アクティブ化させる
付記１ないし３のうちいずれか１項に記載のユーザ装置。
（付記５）
前記管理部は、前記ユーザ装置において設定可能な端末識別子の数を含む能力情報を前記基地局に通知する
付記１ないし４のうちいずれか１項に記載のユーザ装置。
（付記６）
前記基地局が前記ユーザ装置に対してクロスキャリアスケジューリングを実行する場合に、前記ユーザ装置は、クロスキャリアスケジューリングに係る複数のセルで同一の端末識別子を用いて通信を行う
付記１ないし５のうちいずれか１項に記載のユーザ装置。
（付記７）
前記基地局が前記ユーザ装置に対してクロスキャリアスケジューリングを実行する場合に、前記ユーザ装置は、クロスキャリアスケジューリングに係る複数のセルにおいて、各セルに対応付けられた端末識別子を用いて通信を行う
付記１ないし５のうちいずれか１項に記載のユーザ装置。
（付記８）
前記キャリアアグリゲーションを構成する複数のセルは１つ又は複数のセルグループにグループ分けされ、各セルグループにおいて各セルに同一の端末識別子が割り当てられ、各セルグループにおける少なくとも１つのセルにＰＵＣＣＨが設定されており、
前記送信部は、各セルグループにおいて、前記ＰＵＣＣＨを用いて、同一の端末識別子が割り当てられたセルの上り制御情報を送信する
付記１ないし７のうちいずれか１項に記載のユーザ装置。
（付記９）
前記送信部は、あるセルにおける上り制御情報の送信タイミングにおいて、当該セルに割り当てられた端末識別子と同じ端末識別子を持つセルにＰＵＳＣＨのリソースがある場合に、当該上り制御情報を当該ＰＵＳＣＨを用いて送信する
付記１ないし８のうちいずれか１項に記載のユーザ装置。
（付記１０）
キャリアアグリゲーションをサポートする移動通信システムにおいて基地局と通信を行うユーザ装置が実行する端末識別子通知方法であって、
前記基地局から、前記キャリアアグリゲーションにおけるセル毎又はセルグループ毎の端末識別子を受信し、保持するステップと、
前記キャリアアグリゲーションにおける複数のセルのうちの特定のセルで実行される衝突型ランダムアクセス手順において、前記ステップで保持された端末識別子のうち、前記特定のセルに対応付けられた端末識別子を含むメッセージを前記基地局に送信するステップと
を備える端末識別子通知方法。
【０１０９】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【０１１０】
ＵＥ  ユーザ装置
ｅＮＢ  基地局
１０１  ＵＬ信号送信部
１０２  ＤＬ信号受信部
１０３  ＲＲＣ管理部
１０４  Ｃ−ＲＮＴＩ送信制御部
２０１  ＤＬ信号送信部
２０２  ＵＬ信号受信部
２０３  ＲＲＣ管理部
２０４  スケジューリング部
【図１】
2020074615.tif 000003
【図２】
2020074615.tif 000004
【図３】
2020074615.tif 000005
【図４】
2020074615.tif 000006
【図５】
2020074615.tif 000007
【図６】
2020074615.tif 000008
【図７】
2020074615.tif 000009
【図８】
2020074615.tif 000010
【図９】
2020074615.tif 000011
【図１０】
2020074615.tif 000012
【図１１】
2020074615.tif 000013
【図１２】
2020074615.tif 000014
【図１３】
2020074615.tif 000015
【図１４】
2020074615.tif 000016
【図１５】
2020074615.tif 000017
【図１６】
2020074615.tif 000018
【図１７】
2020074615.tif 000019
【図１８】
2020074615.tif 000020
【図１９】
2020074615.tif 000021
【図２０】
2020074615.tif 000022
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
基地局から、セルグループ毎の端末識別子を受信し、保持する管理部と、
前記セルグループに含まれる特定のセルで実行される衝突型ランダムアクセス手順において、前記管理部に保持された端末識別子のうち、前記特定のセルに対応付けられた端末識別子を含むメッセージを前記基地局に送信する送信部と
を備え、
前記送信部が送信する前記メッセージに、前記特定のセルに対応付けられていない端末識別子が含まれず、
前記管理部は、既に保持している端末識別子を変更するための変更後の端末識別子を含むメッセージを前記基地局から受信した場合に、前記既に保持している端末識別子に対応付けられたセルを非アクティブ状態とする
ユーザ装置。
【請求項２】
前記管理部は、前記基地局から前記セルグループに含まれるセルを追加する設定メッセージを受信し、当該設定メッセージに含まれる端末識別子を保持する
請求項１に記載のユーザ装置。
【請求項３】
前記管理部は、前記ユーザ装置において設定可能な端末識別子の数を含む能力情報を前記基地局に通知する
請求項１又は２に記載のユーザ装置。
【請求項４】
前記基地局が前記ユーザ装置に対してクロスキャリアスケジューリングを実行する場合に、前記ユーザ装置は、クロスキャリアスケジューリングに係る複数のセルで同一の端末識別子を用いて通信を行う
請求項１乃至３のうちいずれか１項に記載のユーザ装置。
【請求項５】
前記基地局が前記ユーザ装置に対してクロスキャリアスケジューリングを実行する場合に、前記ユーザ装置は、クロスキャリアスケジューリングに係る複数のセルにおいて、各セルに対応付けられた端末識別子を用いて通信を行う
請求項１乃至４のうちいずれか１項に記載のユーザ装置。
【請求項６】
複数のセルは１つ又は複数の前記セルグループにグループ分けされ、各セルグループにおいて各セルに同一の端末識別子が割り当てられ、各セルグループにおける少なくとも１つのセルにＰＵＣＣＨが設定されており、
前記送信部は、各セルグループにおいて、前記ＰＵＣＣＨを用いて、同一の端末識別子が割り当てられたセルの上り制御情報を送信する
請求項１乃至５のうちいずれか１項に記載のユーザ装置。
【請求項７】
前記送信部は、あるセルにおける上り制御情報の送信タイミングにおいて、当該セルに割り当てられた端末識別子と同じ端末識別子を持つセルにＰＵＳＣＨのリソースがある場合に、当該上り制御情報を当該ＰＵＳＣＨを用いて送信する
請求項１乃至６のうちいずれか１項に記載のユーザ装置。
【請求項８】
基地局から、セルグループ毎の端末識別子を受信し、保持するステップと、
前記セルグループに含まれる特定のセルで実行される衝突型ランダムアクセス手順において、前記ステップで保持された端末識別子のうち、前記特定のセルに対応付けられた端末識別子を含むメッセージを前記基地局に送信するステップと
を備え、
前記送信するステップにおいて送信される前記メッセージに、前記特定のセルに対応付けられていない端末識別子が含まれず、
前記受信し、保持するステップにおいて、既に保持している端末識別子を変更するための変更後の端末識別子を含むメッセージを前記基地局から受信した場合に、前記既に保持している端末識別子に対応付けられたセルを非アクティブ状態とする
端末識別子通知方法。
【手続補正２】
【補正対象書類名】明細書
【補正対象項目名】００２２
【補正方法】変更
【補正の内容】
【００２２】
本発明の実施の形態によれば、
基地局から、セルグループ毎の端末識別子を受信し、保持する管理部と、
前記セルグループに含まれる特定のセルで実行される衝突型ランダムアクセス手順において、前記管理部に保持された端末識別子のうち、前記特定のセルに対応付けられた端末識別子を含むメッセージを前記基地局に送信する送信部と
を備え、
前記送信部が送信する前記メッセージに、前記特定のセルに対応付けられていない端末識別子が含まれず、
前記管理部は、既に保持している端末識別子を変更するための変更後の端末識別子を含むメッセージを前記基地局から受信した場合に、前記既に保持している端末識別子に対応付けられたセルを非アクティブ状態とする
ユーザ装置が提供される。
【手続補正３】
【補正対象書類名】明細書
【補正対象項目名】００２３
【補正方法】変更
【補正の内容】
【００２３】
また、本発明の実施の形態によれば、ユーザ装置が実行する端末識別子通知方法であって、
基地局から、セルグループ毎の端末識別子を受信し、保持するステップと、
前記セルグループに含まれる特定のセルで実行される衝突型ランダムアクセス手順において、前記ステップで保持された端末識別子のうち、前記特定のセルに対応付けられた端末識別子を含むメッセージを前記基地局に送信するステップと
を備え、
前記送信するステップにおいて送信される前記メッセージに、前記特定のセルに対応付けられていない端末識別子が含まれず、
前記受信し、保持するステップにおいて、既に保持している端末識別子を変更するための変更後の端末識別子を含むメッセージを前記基地局から受信した場合に、前記既に保持している端末識別子に対応付けられたセルを非アクティブ状態とする
端末識別子通知方法が提供される。